(57)【要約】【課題】端子に余計な応力が加わっても該端子の基板にハンダ付けされた基端部の破壊や剥がれを防ぐことができるＬＥＤライトを提供すること。【解決手段】ＬＥＤ５を実装した基板３に端子８の基端部８Ａをハンダ付けし、該端子８の前記基板３から延びる先端部８Ｂをハウジング２に形成された貫通孔２ｆを貫通して成るＬＥＤライト１において、前記端子８の前記基板３から延びて前記ハウジング２の貫通孔２ｆを貫通する先端部８Ｂを基端部８Ａに対して基板３面と直交する方向にオフセットさせる。又、前記端子８の基端部８Ａの前記基板３へのハンダ付けランドを該基端部８Ａの長手方向に沿って延ばす。【選択図】図６
2013095292.tif 000002
【特許請求の範囲】
【請求項１】
ＬＥＤを実装した基板に端子の基端部をハンダ付けし、該端子の前記基板から延びる先端部をハウジングに形成された貫通孔を貫通して成るＬＥＤライトにおいて、
前記端子の前記基板から延びて前記ハウジングの貫通孔を貫通する先端部を基端部に対して基板面と直交する方向にオフセットさせたことを特徴とするＬＥＤライト。
【請求項２】
前記端子の基端部の前記基板へのハンダ付けランドを該基端部の長手方向に沿って延ばしたことを特徴とする請求項１記載のＬＥＤライト。
【発明の詳細な説明】
【技術分野】
【０００１】
本発明は、ＬＥＤを光源とするＬＥＤライトに関するものである。
【背景技術】
【０００２】
近年、省電力で高寿命であるＬＥＤ（発光ダイオード）を光源として使用するＬＥＤライトが増えつつある。斯かるＬＥＤライトは、その指向性の高さからスポットライト的な照明に適しており、例えばフットライトやカップホルダライト、グローボックスライト等の車載用室内照明に供されている。
【０００３】
ところで、ＬＥＤライトに関して特許文献１には、照度の均一化を図るためにＬＥＤからの光が通過する領域の周縁部分に光拡散部材を配置する構成が提案されている。
【先行技術文献】
【特許文献】
【０００４】
【特許文献１】特開２００５−１８３１９３号公報
【発明の概要】
【発明が解決しようとする課題】
【０００５】
しかしながら、特許文献１において提案されたＬＥＤライトにおいては、端子を樹脂でモールドする構成が採用されているため、部品コストや金型コストが上がり、最終的に製品コストが上がるという問題がある。
【０００６】
そこで、端子を基板にハンダ付けする構成が採用されている。具体的には、ＬＥＤを実装した基板に端子の基端部をハンダ付けし、該端子の基板から延びる先端部をカプラー一体型のハウジングに形成された貫通孔に通してハウジングのカプラー部内に臨ませる構成が採用されている。
【０００７】
しかしながら、端子の先端部を基板から真っ直ぐ延ばし、これをハウジングの貫通孔に通してハウジングのカプラー部に臨ませる構成を採用すると、ハウジングのカプラー部に他のカプラーを嵌め込んで接続した場合、端子の位置精度が悪いと該端子に余計な応力が加わり、端子の基板にハンダ付けされた基端部が基板から剥がれたり、破壊されるという問題が発生する。
【０００８】
本発明は上記問題に鑑みてなされたもので、その目的とする処は、端子に余計な応力が加わっても該端子の基板にハンダ付けされた基端部の破壊や剥がれを防ぐことができるＬＥＤライトを提供することにある。
【課題を解決するための手段】
【０００９】
上記目的を達成するため、請求項１記載の発明は、ＬＥＤを実装した基板に端子の基端部をハンダ付けし、該端子の前記基板から延びる先端部をハウジングに形成された貫通孔を貫通して成るＬＥＤライトにおいて、前記端子の前記基板から延びて前記ハウジングの貫通孔を貫通する先端部を基端部に対して基板面と直交する方向にオフセットさせたことを特徴とする。
【００１０】
請求項２記載の発明は、請求項１記載の発明において、前記端子の基端部の前記基板へのハンダ付けランドを該基端部の長手方向に沿って延ばしたことを特徴とする。
【発明の効果】
【００１１】
請求項１記載の発明によれば、端子の基板から延びてハウジングの貫通孔を貫通する先端部を基端部に対して基板面と直交する方向にオフセットさせたため、端子の先端部に余計な応力が加わっても、その応力は貫通孔を介してハウジングによって受けられ、端子の基端部に応力が及ぶことがない。このため、端子の先端部のみが変形し、端子の基端部に力が直接加わることがなく、基板にハンダ付けされた端子の基端部の破壊や剥がれが確実に防がれる。
【００１２】
請求項２記載の発明によれば、端子の基端部の基板へのハンダ付けランドを該基端部の長手方向に沿って延ばしたため、大きなハンダ面積が確保されて端子の基端部の基板への取付強度が高められ、該基端部の応力による破壊や剥がれが一層確実に防がれる。
【図面の簡単な説明】
【００１３】
【図１】本発明に係るＬＥＤライトの斜視図である。
【図２】本発明に係るＬＥＤライトの側面図である。
【図３】本発明に係るＬＥＤライトの平面図である。
【図４】本発明に係るＬＥＤライトの底面図である。
【図５】図２の矢視Ａ方向の図である。
【図６】図５のＢーＢ線断面図である。
【図７】本発明に係るＬＥＤライトにおける端子の基板への固定構造を示す側面図である。
【図８】本発明に係るＬＥＤライトの端子における基板への固定構造を示す底面図である。
【図９】本発明に係るＬＥＤライトのハウジングの斜視図である。
【図１０】本発明に係るＬＥＤライトのハウジングの側面図である。
【図１１】図１０の矢視Ｃ方向の図である。
【図１２】図１１のＤ部拡大詳細図である。
【図１３】本発明に係るＬＥＤライトのカバーレンズの側面図である。
【図１４】本発明に係るＬＥＤライトのカバーレンズの底面図である。
【図１５】図１３の矢視Ｅ方向の図である。
【図１６】（ａ）〜（ｄ）は本発明に係るＬＥＤライトの組立要領をその工程順に示す斜視図である。
【発明を実施するための形態】
【００１４】
以下に本発明の実施の形態を添付図面に基づいて説明する。
【００１５】
図１は本発明に係るＬＥＤライトの斜視図、図２は同ＬＥＤライトの側面図、図３は同ＬＥＤライトの平面図、図４はＬＥＤライトの底面図、図５は図２の矢視Ａ方向の図、図６は図５のＢーＢ線断面図、図７は同ＬＥＤライトにおける端子の基板への取付構造を示す側面図、図８は同取付構造を示す底面図、図９は同ＬＥＤライトのハウジングの斜視図、図１０は同ハウジングの側面図、図１１は図１０の矢視Ｃ方向の図、図１２は図１１のＤ部拡大詳細図、図１３は同ＬＥＤライトのカバーレンズの側面図、図１４は同カバーレンズの底面図、図１５は図１３の矢視Ｅ方向の図である。
【００１６】
図１〜図６に示すＬＥＤライト１は、カプラー一体型のハウジング２に基板３をスライドによって嵌め込んで固定するとともに、ハウジング２の一部を覆うカバーレンズ４をハウジング２に基板３と同方向にスライドさせて嵌め込んで固定することによって構成されている。
【００１７】
上記ハウジング２は、光不透過性樹脂によって２段の矩形筒状に一体成形されており、その一部（図８の左半分）は基板収納部２Ａを構成し、他の部分（図１０の右半分）はカプラー部２Ｂを構成している。そして、このハウジング２の基板収納部２Ａの上面には、図９に示すように矩形切欠状の開口部２ａが形成されており、基板収納部２Ａの両側部下部の相対向する箇所には、図２、図４及び図９に示すように係合突起２ｂが突設されている。
【００１８】
又、図１１に示すように、ハウジング２の基板収納部２Ａの両側部内面の相対向する箇所に断面矩形の嵌合溝２ｃが長手方向（図１１の紙面垂直方向）に水平に形成されており、図１２に示すように、各嵌合溝２ｃの上面には長手方向に沿う突起２ｄが下方（基板２のスライド方向に直交する方向）に向かって一体に突設されている。そして、図６、図１１及び図１２に示すように、ハウジング２の基板収納部２Ａとカプラー部２Ｂとを区画する縦壁２ｅには矩形の左右２つの貫通孔２ｆが貫設されている。
【００１９】
前記基板３には、図６及び図７に示すように光源であるＬＥＤ５と電子部品であるダイオード６やチップ抵抗７が実装されるとともに、左右２本の端子８がハンダ付けによって取り付けられている。ここで、左右の各端子８は、基板３にハンダ付けされる基端部８Ａと該基端部８Ａ（基板３）から先に延びる先端部８Ｂを有しているが、先端部８Ｂは、基端部８Ａに対して基板３面と直交する方向（図６及び図７の上方）に図示のεだけオフセットされ、ハウジング２の縦壁２ｅに形成された貫通孔２ｆを貫通してハウジング２のカプラー部２Ｂ内に臨んでいる。
【００２０】
又、各端子８の基端部８Ａの端部８ａは直角に屈曲して起立しており、この端部８ａは基板３に形成された左右２つの各円孔３ａを下方から貫通して基板の上方に突出している。そして、端子８の基端部８Ａは、基板３にハンダ付けされているが、ハンダ付けランドＲは、図８に斜線にて示すように基板３の円孔３ａの周囲と端子８の基端部８Ａの長手方向に沿う範囲に形成されている。即ち、ハンダ付けランドＲは、基板３の円孔３ａの周囲から端子８の基端部８Ａに沿って延ばされている。
【００２１】
前記カバーレンズ４は、光透過性樹脂によって一体に形成されており、図１３に示すようにフランジ部４Ａの上面には略円柱状の配光用レンズ部４Ｂが突設され、フランジ部４Ａの下方にはキャップ部４Ｃが形成されている。ここで，キャップ部４Ｃは、ハウジング２の基板収納部２Ａの外側にスライドによって被せられる部分であって、その下面と長手方向一端面（図１３の右端面）が開口する矩形箱状に成形されている。
【００２２】
又、レンズカバー４のキャップ部４Ｃの左右両側部の下端には、図１４及び図１５に示すように内側に向かって直角に延びる嵌合リブ４ａが長手方向（図１４の左右方向）に沿って形成されており、これらの嵌合リブ４ａとキャップ部４Ｃの左右両側部の所定箇所（ハウジング２の基板収納部２Ａの両側部に形成された前記係合突起２ｂ（図１０参照）に対応する箇所）には図１３及び図１４に示すように矩形切欠状の係合凹部４ｂがそれぞれ形成されている。
【００２３】
次に、以上のハウジング２と基板３及びカバーレンズ４によって構成されるＬＥＤライト１の組立要領を図１６（ａ）〜（ｄ）に基づいて以下に説明する。
【００２４】
図１６（ａ）〜（ｄ）は本発明に係るＬＥＤライト１の組立要領をその工程順に示す斜視図であり、ＬＥＤライト１の組み立てに際しては、先ず、図１６（ａ）に示すようにＬＥＤ５とダイオード６及びチップ抵抗７が実装された基板３がハウジング２の基板収納部２Ａの一端開口部から差し込まれて組み付けられる。即ち、基板３の左右両端部をハウジング２の基板収納部２Ａに形成された左右の嵌合溝２ｃに嵌め込み、該基板３を奥側（矢印方向）にスライドさせれば、図１６（ｂ）に示すように基板３がハウジング２の基板収納部２Ａに収容されて固定される。このように基板２をハウジング２の基板収納部２Ａに嵌め込んで収納した状態では、図６に示すように、基板３から水平に延びる左右２本の端子８は、ハウジング２の縦壁２ｅに形成された２つの貫通孔２ｆをそれぞれ貫通してハウジング２のカプラー部２Ｂの内部に臨んでいる。
【００２５】
次に、図１６（ｃ）に示すようにカバーレンズ４のキャップ部４Ｃをハウジング２の基板収納部２Ａの外面に嵌め込み、該カバーレンズ４を基板３のスライド方向と同方向（図示矢印方向）にスライドさせると、図２及び図４に示すように、該カバーレンズ４のキャップ部４Ｃに形成された左右２つの係合凹部４ｂにハウジング２の基板収納部２Ａの両側部に突設された係合突起２ｂが係合するため、カバーレンズ４がハウジング２の基板収納部２Ａを外側から覆うように被着され、図１６（ｄ）に示すように製品としてのＬＥＤライト１が組み立てられる。このとき、ハウジング２の基板収納部２Ａの上面に形成された開口部２ａはカバーレンズ４によって覆われる。
【００２６】
以上のようにして組み立てられたＬＥＤライト１において、不図示の電源から端子８及び基板３の不図示の回路を経てＬＥＤ５に電流が供給されると、該ＬＥＤ５が起動されて光が上方に向かって出射されるが、この光は、ハウジング２の基板収納部２Ａに形成された開口部２ａとカバーレンズ４の配光用レンズ部４Ｂを通過することによって配光が制御されつつ上方に向かって出射されて上方の照明に供される。
【００２７】
而して、本発明に係るＬＥＤ照明装置１によれば、端子８の基板３から延びてハウジング２の貫通孔２ｆを貫通する先端部８Ｂを基端部８Ａに対して基板３面と直交する方向（図６及び図７の上方）にεだけオフセットさせたため、端子８の先端部８Ｂに余計な応力が加わっても、その応力は貫通孔２ｆを介してハウジング２によって受けられ、端子８の基端部８Ａに応力が及ぶことがない。このため、端子８の先端部８Ｂのみが変形し、端子８の基端部８Ａに力が直接加わることがなく、基板３にハンダ付けされた端子８の基端部８Ａの破壊や剥がれが確実に防がれる。
【００２８】
又、本発明に係るＬＥＤライト１においては、端子８の基端部８Ａの基板３へのハンダ付けランドＲを図８に示すように該基端部８Ａの長手方向に沿って延ばしたため、大きなハンダ面積が確保されて端子８の基端部８Ａの基板３への取付強度が高められ、該基端部８Ａの応力による破壊や剥がれが一層確実に防がれる。
【００２９】
尚、本実施の形態では、製品薄型化のためにハウジング２の基板収納部２Ａの下面をカバーレンズ４によって覆っていないが、この部分もカバーレンズ４で覆うことによって製品内部を静電気、埃、水等から確実に保護することができる。
【産業上の利用可能性】
【００３０】
本発明に係るＬＥＤライトは、車室内の照明（フットライト、カップホルダーライト、グローブボックスライ用、アンビエントライト、読書ライト、ラゲッジルームライト）の他、防水構造とすれば外装品に対しても応用が可能である。
【符号の説明】
【００３１】
１        ＬＥＤライト
２        ハウジング
２Ａ      ハウジングの基板収納部
２Ｂ      ハウジングのカプラー部
２ａ      ハウジングの開口部
２ｂ      ハウジングの係合突起
２ｃ      ハウジングの嵌合溝
２ｄ      ハウジングの突起
２ｅ      ハウジングの縦壁
２ｆ      ハウジングの貫通孔
３        基板
３ａ      基板の円孔
４        カバーレンズ
４Ａ      カバーレンズのフランジ部
４Ｂ      カバーレンズの配光用レンズ部
４Ｃ      カバーレンズのキャップ部
４ａ      カバーレンズの嵌合リブ
４ｂ      カバーレンズの係合凹部
５        ＬＥＤ
６        ダイオード
７        チップ抵抗
８        端子
８Ａ      端子の基端部
８Ｂ      端子の先端部
８ａ      端子の端部
Ｒ        ハンダ付けランド
ε        端子の先端部のオフセット量
【図１】
2013095292.tif 000003
【図２】
2013095292.tif 000004
【図３】
2013095292.tif 000005
【図４】
2013095292.tif 000006
【図５】
2013095292.tif 000007
【図６】
2013095292.tif 000008
【図７】
2013095292.tif 000009
【図８】
2013095292.tif 000010
【図９】
2013095292.tif 000011
【図１０】
2013095292.tif 000012
【図１１】
2013095292.tif 000013
【図１２】
2013095292.tif 000014
【図１３】
2013095292.tif 000015
【図１４】
2013095292.tif 000016
【図１５】
2013095292.tif 000017
【図１６】
2013095292.tif 000018